(57)【要約】【課題】ポンプ運転開始水位が吐出水路上端レベルより高いポンプゲート設備であってもポンプゲートへの浮遊物の流入を防止できるポンプゲート設備を提供すること。【解決手段】ポンプゲート３０と除塵機４０とを具備する。ポンプゲート３０のポンプ運転開始水位Ｌ２が吐出水路２０の上端レベルＬ３より高く、常時の自然流下水位の際にはポンプゲート３０と共に除塵機４０を引き上げて自然流下を行い、ポンプ運転開始水位Ｌ２の際には除塵機４０を引き下げて除塵機４０に捕捉される浮遊物Ｓのポンプゲート３０への流入を阻止すると共にポンプゲート３０によって吐出水路２０を閉じて強制排水を行う。除塵機４０の上流に吐出水路上端レベルＬ３付近以上の水位の水流に対向する面を有し、吐出水路上端レベルＬ３以上の水位で流れてくる浮遊物Ｓを受けとめてポンプゲート３０手前に滞留することを抑止する着脱可能な浮遊物抑止装置５０を設置する。【選択図】図１
2009293216.tif 000002
【特許請求の範囲】
【請求項１】
吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、
前記除塵機の上流に吐出水路上端レベル付近以上の水位の水流に対向する面を有し、吐出水路上端レベル以上の水位で流れてくる浮遊物を受けとめてポンプゲート手前に滞溜することを抑止する着脱可能な浮遊物抑止装置を設置したことを特徴とするポンプゲート設備。
【請求項２】
請求項１に記載のポンプゲート設備において、
前記浮遊物抑止装置の水流に対向する面に、前記ポンプゲートの許容通過粒径以下の開口部を設けたことを特徴とするポンプゲート設備。
【請求項３】
吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、
前記除塵機の引き上げ時の位置を、除塵機先端が吐出水路上端レベル付近（浮遊物抑止位置）となるようにすることで、吐出水路上端レベル付近以上の水位で流れてくる浮遊物を受けとめてポンプゲート手前に滞溜することを防止することを特徴とするポンプゲート設備。
【請求項４】
請求項３のポンプゲート設備において、
前記除塵機の上下動位置を検出する位置検出機構と、
水位センサからの信号を用いて除塵機の上下動位置を運転制御する制御手段とを具備し、
制御手段は、除塵機を、水路の水位が吐出水路上端レベル以下の任意の設定レベルより高い水位の場合は前記浮遊物抑止位置に、水路の水位が前記任意の設定レベルより低い水位の場合は前記浮遊物抑止位置よりさらに引き上げた全開位置になるように運転制御することを特徴とするポンプゲート設備。
【請求項５】
吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、
前記ポンプゲートの上流側に、上流側から流れてくる浮遊物を捕捉する浮遊物捕捉装置を設置したことを特徴とするポンプゲート設備。
【請求項６】
請求項５に記載のポンプゲート設備において、
前記浮遊物捕捉装置は、ネット等の変形可能で開口部を有する部材で構成され且つ上流側に向けて浮遊物流入口を設けてなる捕捉部を有し、さらに捕捉部には捕捉した浮遊物を水路に排出する捕捉解除手段を設けたことを特徴とするポンプゲート設備。
【請求項７】
吐出水路を開閉するポンプゲートと、ポンプゲートの上流側に設置される除塵機とを設置し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備の運転方法において、
吐出水路上端レベル以下の水位に先行除塵機運転水位を設定し、水位が先行除塵機運転水位に達したときに除塵機を下げて浮遊物のポンプゲートへの流入を阻止すると共に、除塵機引き下げから任意の時間経過後か、或いは除塵機引き下げから任意の時間経過後であって且つ水位が先行除塵機運転水位より高い所定の水位に達したときにポンプゲートを降下させることを特徴とするポンプゲート設備運転方法。
【請求項８】
吐出水路を開閉するポンプゲートと、ポンプゲートの上流側に設置される除塵機とを設置し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備の運転制御装置において、
吐出水路上端レベル以下の水位に先行除塵機運転水位を設定し、水位が先行除塵機運転水位に達したときに除塵機を下げて浮遊物のポンプゲートへの流入を阻止すると共に、除塵機引き下げから任意の時間経過後か、或いは除塵機引き下げから任意の時間経過後であって且つ水位が先行除塵機運転水位より高い所定の水位に達したときにポンプゲートを降下させることを特徴とするポンプゲートの運転制御装置。
【発明の詳細な説明】
【技術分野】
【０００１】
本発明は、自然流下水路と強制排水水路とを共用するポンプゲート設備及びその運転方法に関するものである。
【背景技術】
【０００２】
従来、例えば支川から本川に流れ込む河川の合流点などには、支川を開閉するポンプゲート設備が設置される場合がある。そしてこの種のポンプゲート設備の中には、通常時はポンプゲートを開いて水を自然流下させ、一方大雨等、支川の水位よりも本川の水位の方が高くなるような場合は前記ポンプゲートによって支川を閉じて本川の水が支川に逆流するのを防止すると同時に、支川内を流下してくる水をポンプゲートのポンプによって強制的に本川側に排水する構成の、自然流下水路と強制排水水路とを共用するポンプゲート設備がある（例えば特許文献１参照）。
【０００３】
図１３はこの種の従来の自然流下水路と強制排水水路とを共用するポンプゲート設備４００の一例を示す全体概略構成図である。同図に示すポンプゲート設備４００は、吸込水路５００と吐出水路５０５の間を開閉するポンプゲート５１０と、ポンプゲート５１０の上流側に設置される除塵機５３０とを具備して構成されている。そして水位が通常の自然流下水位Ｌ１のときはポンプゲート５１０を点線で示す位置まで上昇して吐出水路５０５を開き、同時に除塵機５３０を点線で示す位置（全開位置）まで上昇（引き上げ）して水面から引き上げ、これによって水を自然流下させるとともに流れてきた浮遊物Ｓもそのまま自然流下させる。一方水位が強制排水が必要なポンプ運転開始水位Ｌ２にまで上昇すると、ポンプゲート５１０を実線で示す位置まで下降して吐出水路５０５を閉じると共にポンプゲート５１０に設置したポンプを駆動することで上流側（吸込水路５００側）の水を強制的に下流側（吐出水路５０５側）に排水し、また所定のタイミングで除塵機５３０を実線で示す位置（全閉位置）まで下降（引き下げ）してその下部を水中に没し、除塵機５３０を駆動してこの除塵機５３０の前面に捕捉した浮遊物Ｓを掻き上げ、これによってポンプゲート５１０に浮遊物Ｓが流れないようにしている。
【０００４】
以上説明したように、このポンプゲート設備４００においては、自然流下から強制排水に切り替わるときにポンプゲート５１０を下降して吐出水路５０５を閉じてポンプ排水を行い、同時にポンプの保護を目的として上流側に設置した除塵機５３０を下降して浮遊物Ｓのポンプへの流入を防いでいる。しかしながら吐出水路５０５の水路天井の高さがポンプ運転開始水位Ｌ２よりも低いと、ポンプゲート５１０によって吐出水路５０５を閉じる前にすでに水位が吐出水路５０５の水路天井を越えていて浮遊物Ｓが吐出水路５０５入口側（ポンプゲート５１０手前側）上部に滞留していてここに滞留した浮遊物Ｓは自然流下せず、その時点で除塵機５３０を下げても浮遊物Ｓはポンプ井（除塵機５３０の下流側で吐出水路５０５入口部〔ポンプゲート５１０によって開閉される部分〕の上流側部分）に入っているため、ポンプに吸い込まれてしまい、ポンプの閉塞等の危険性があった。このため従来、除塵機５３０を下げて運転するタイミングを水位がポンプ運転開始水位Ｌ２に達するよりも早く行うなどの対策を行なっていた。
【０００５】
しかしながら上記従来のポンプゲート設備及びその運転方法には以下のような問題点があった。
（１）水位がポンプ運転開始水位Ｌ２に達する前に除塵機５３０を下げるのであるが、そのタイミングが遅れると、前述の場合と同様に除塵機５３０の下流側のポンプ井上部に浮遊物Ｓが滞留し、ポンプゲート５１０の降下運転開始時点ですでに浮遊物Ｓがポンプ井に滞留してしまい、滞留した浮遊物Ｓがポンプに吸い込まれることでポンプが閉塞し運転不能の状態となり最悪の場合、浸水被害に発展してしまう恐れがある。
【０００６】
（２）除塵機５３０を下げて設置するタイミングがポンプ運転開始時期より早くなるため、操作員が事前（例えば数時間程度前）に現場に急行し除塵機５３０を操作する必要がある。このため操作員の拘束時間が長くなると共に、操作遅れや操作ミスがあるとやはり上記（１）のように浮遊物Ｓがポンプ井に滞留してしまう恐れがある。
【０００７】
（３）上記問題（１），（２）を解消するため、ポンプゲート５１０（特に除塵機５３０）の手前（上流側）にゴミ除け用の土木構造物を水路と一体に固定して設置すると、常時、自然流下機能を阻害し、流路構造上好ましくない。
【０００８】
（４）結果として水位がポンプ運転開始水位Ｌ２にまで上昇しなかったときでも、ポンプ運転開始水位Ｌ２に達するより前に下降させる必要がある除塵機５３０だけは運転しなければならず操作員の負担が大きかった。
【特許文献１】特開２００１−１９３０４０号公報
【発明の開示】
【発明が解決しようとする課題】
【０００９】
本発明は上述の点に鑑みてなされたものでありその目的は、上記問題点を解決し、ポンプ運転開始水位が吐出水路上端レベルより高いポンプゲート設備であっても、浮遊物が吸込水路に滞留するのを効果的に防止でき、これによって経済性、信頼性、安全性に優れたポンプゲート設備及びその運転方法を提供することにある。
【課題を解決するための手段】
【００１０】
本願請求項１に記載の発明は、吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、前記除塵機の上流に吐出水路上端レベル付近以上の水位の水流に対向する面を有し、吐出水路上端レベル以上の水位で流れてくる浮遊物を受けとめてポンプゲート手前に滞溜することを抑止する着脱可能な浮遊物抑止装置を設置したことを特徴とするポンプゲート設備にある。
【００１１】
本願請求項２に記載の発明は、請求項１に記載のポンプゲート設備において、前記浮遊物抑止装置の水流に対向する面に、前記ポンプゲートの許容通過粒径以下の開口部を設けたことを特徴とするポンプゲート設備にある。開口部を有する浮遊物抑止装置は、格子状のスクリーンで構成しても良いし、パンチングメタルや金網状に構成しても良い。
【００１２】
本願請求項３に記載の発明は、吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、前記除塵機の引き上げ時の位置を、除塵機先端が吐出水路上端レベル付近（浮遊物抑止位置）となるようにすることで、吐出水路上端レベル付近以上の水位で流れてくる浮遊物を受けとめてポンプゲート手前に滞溜することを防止することを特徴とするポンプゲート設備にある。
【００１３】
本願請求項４に記載の発明は、請求項３のポンプゲート設備において、前記除塵機の上下動位置を検出する位置検出機構と、水位センサからの信号を用いて除塵機の上下動位置を運転制御する制御手段とを具備し、制御手段は、除塵機を、水路の水位が吐出水路上端レベル以下の任意の設定レベルより高い水位の場合は前記浮遊物抑止位置に、水路の水位が前記任意の設定レベルより低い水位の場合は前記浮遊物抑止位置よりさらに引き上げた全開位置になるように運転制御することを特徴とするポンプゲート設備にある。
【００１４】
本願請求項５に記載の発明は、吐出水路を開閉するポンプゲートと、ポンプゲートの上流側に設置される除塵機とを具備し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備において、前記ポンプゲートの上流側に、上流側から流れてくる浮遊物を捕捉する浮遊物捕捉装置を設置したことを特徴とするポンプゲート設備にある。
【００１５】
本願請求項６に記載の発明は、請求項５に記載のポンプゲート設備において、前記浮遊物捕捉装置は、ネット等の変形可能で開口部を有する部材で構成され且つ上流側に向けて浮遊物流入口を設けてなる捕捉部を有し、さらに捕捉部には捕捉した浮遊物を水路に排出する捕捉解除手段を設けたことを特徴とするポンプゲート設備にある。
【００１６】
本願請求項７に記載の発明は、吐出水路を開閉するポンプゲートと、ポンプゲートの上流側に設置される除塵機とを設置し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備の運転方法において、吐出水路上端レベル以下の水位に先行除塵機運転水位を設定し、水位が先行除塵機運転水位に達したときに除塵機を下げて浮遊物のポンプゲートへの流入を阻止すると共に、除塵機引き下げから任意の時間経過後か、或いは除塵機引き下げから任意の時間経過後であって且つ水位が先行除塵機運転水位より高い所定の水位に達したときにポンプゲートを降下させることを特徴とするポンプゲート設備運転方法にある。
【００１７】
本願請求項８に記載の発明は、吐出水路を開閉するポンプゲートと、ポンプゲートの上流側に設置される除塵機とを設置し、ポンプゲートのポンプ運転開始水位が吐出水路上端レベルより高く、常時の自然流下水位の際にはポンプゲートと共に除塵機を引き上げて自然流下を行い、ポンプ運転開始水位の際には除塵機を引き下げて除塵機に捕捉される浮遊物のポンプゲートへの流入を阻止すると共にポンプゲートによって吐出水路を閉じてポンプゲートに設置したポンプによって強制排水を行うポンプゲート設備の運転制御装置において、吐出水路上端レベル以下の水位に先行除塵機運転水位を設定し、水位が先行除塵機運転水位に達したときに除塵機を下げて浮遊物のポンプゲートへの流入を阻止すると共に、除塵機引き下げから任意の時間経過後か、或いは除塵機引き下げから任意の時間経過後であって且つ水位が先行除塵機運転水位より高い所定の水位に達したときにポンプゲートを降下させることを特徴とするポンプゲート設備の運転制御装置にある。
【発明の効果】
【００１８】
請求項１に記載の発明によれば、除塵機の上流に浮遊物抑止装置を設置したので、吐出水路上端レベル付近以上の水位で流れてくる浮遊物を、除塵機の上流において受け止めてポンプゲートに向かうことを抑止することができる。なお吐出水路上端レベル付近以下の水位で流れてくる浮遊物は、そのまま吐出水路を通過していくので問題ない。
従って除塵機を下ろして運転するタイミングが遅れてもポンプ運転に有害となる浮遊物がポンプに吸い込まれることを防止できる。また除塵機を降下させる際の水位は、吐出水路上端レベルより上に設定可能になるので、操作員の負担を軽減できる。
また浮遊物抑止装置は吐出水路上端レベル付近以上の水位の水流に対向する位置に設置されるので、水位が低い通常の自然流下時の水の流れを阻害することはない。
またポンプ排水が終わり（吐出水路側の水位が下がり）、ポンプゲートを上げて自然流下状態に戻せば、浮遊物抑止装置に止められていた浮遊物もそのまま吐出水路を通って流されていくので、必要以上の浮遊物を除塵機によって掻き揚げることがなく、ゴミ処理コストを低減できる。
これらのことから、ポンプ運転開始水位が吐出水路上端レベルより高いポンプゲート設備であっても、ポンプゲートへの浮遊物の流入を効果的に防止でき、これによって経済性、信頼性、安全性に優れたポンプゲート設備を提供することができる。
【００１９】
請求項２に記載の発明によれば、浮遊物抑止装置の面内を水が通過できるので、開口部を有さない浮遊物抑止装置と比べて水流に対する抵抗を小さくできる。また軽量化がはかれ着脱も容易になるとともに、ゴミの取り出しにも配慮している。また水流による浮遊物抑止装置への受圧荷重が低減できるため、浮遊物抑止装置を簡易な構造で設計することが可能となり、経済性に優れたポンプゲート設備を提供できる。
【００２０】
請求項３に記載の発明によれば、除塵機によって吐出水路上端レベル付近以上の水位で流れてくる浮遊物を受け止めてポンプゲートに向かうことを抑止することができる。なお吐出水路上端レベル付近以下の水位で流れてくる浮遊物は、そのまま吐出水路を通過していくので問題ない。
従って除塵機を下ろして運転するタイミングが遅れても除塵機を通過していない浮遊物がポンプに吸い込まれることを防止できる。また除塵機を降下させる際の水位は、吐出水路上端レベルより上に設定可能になるので、操作員の負担を軽減できる。
また除塵機先端は吐出水路上端レベル付近に設置されるので、自然流下時の水の流れを阻害することはない。
またこの発明の場合、除塵機の上流側へのあらたな除塵設備の設置が不要になるため、構成が簡素化され、コストの低減化も図れる。
これらのことから、ポンプ運転開始水位が吐出水路上端レベルより高いポンプゲート設備であっても、ポンプゲートへの浮遊物の流入を効果的に防止でき、これによって経済性、信頼性、安全性に優れたポンプゲート設備を提供することができる。
【００２１】
請求項４に記載の発明によれば、水路の水位の状況に応じてポンプゲートの上下動を制御手段によって自動的に運転制御することができる。これによって除塵機の操作を操作員が直接行う必要がなくなり、操作員の負担が軽減できると共に、操作員の誤操作・誤判断による操作ミスや操作遅れを防止でき、浸水被害を確実に防止できる。
【００２２】
請求項５に記載の発明によれば、ポンプゲートの上流側に浮遊物捕捉装置を設置したので、吐出水路上端レベル以上の水位で流れてくる浮遊物を、ポンプゲートの上流において捕捉してポンプゲートに向かうことを抑止することができる。
従って除塵機を下ろして運転するタイミングが遅れても除塵機を通過していない浮遊物がポンプに吸い込まれることを防止できる。また除塵機を降下させる際の水位は、吐出水路上端レベルより上に設定可能になるので、操作員の負担を軽減することができる。
また浮遊物捕捉装置を吐出水路上端レベル以上の水位の水流に対向する位置に設置すれば、自然流下時の水の流れを阻害することはない。
これらのことから、ポンプ運転開始水位が吐出水路上端レベルより高いポンプゲート設備であっても、ポンプゲートへの浮遊物の流入を効果的に防止でき、これによって経済性、信頼性、安全性に優れたポンプゲート設備を提供することができる。
【００２３】
請求項６に記載の発明によれば、浮遊物捕捉装置の捕捉部をネット等の変形可能で開口部を有する部材で構成したので、浮遊物を容易に捕捉できる。また開口部を有するので、水の流れがスムーズになり、また水流による浮遊物捕捉装置への受圧荷重が低減でき、浮遊物捕捉装置を簡易な構造で設計可能となる。また捕捉解除手段を設けることで捕捉した浮遊物を水路に排出できるので、ポンプ排水が終わり（吐出水路側の水位が下がり）、ポンプゲートを上げて自然流下状態に戻した際に、浮遊物捕捉装置に捕捉していた浮遊物も水路に排出することでそのまま流すことができ、従って浮遊物捕捉装置で捕捉した浮遊物を引き上げることによるゴミの処理が不要になり、操作員の負担が軽減できる。
【００２４】
請求項７，請求項８に記載の発明によれば、水位が先行除塵機運転水位に達したときに除塵機を引き下げて浮遊物のポンプゲートへの流入を阻止するので、水位が先行除塵機運転水位から吐出水路上端レベルに達する間に除塵機から吐出水路の間にある浮遊物を全て吐出水路から自然流下させることができる。従って浮遊物が除塵機の下流側のポンプ井上部に滞留する恐れがなくなる。
これらのことから、ポンプ運転開始水位が吐出水路上端レベルより高いポンプゲート設備であっても、ポンプゲートへの浮遊物の流入を効果的に防止でき、これによって経済性、信頼性、安全性に優れたポンプゲート設備の運転方法又は運転制御装置を提供することができる。
【発明を実施するための最良の形態】
【００２５】
以下、本発明の実施形態を図面を参照して詳細に説明する。
〔第１実施形態〕
図１は本発明の第１実施形態にかかる自然流下水路と強制排水水路とを共用するポンプゲート設備１−１の全体概略構成図である。同図に示すようにポンプゲート設備１−１は、吸込水路１０の下流側に吐出水路２０を設け、吐出水路２０の入口部分に吸込水路１０と吐出水路２０の間を開閉するポンプゲート３０を設置し、ポンプゲート３０の上流側の吸込水路１０中に除塵機４０を設置し、さらに除塵機４０の上流に浮遊物抑止装置５０を設置して構成されている。以下各構成部分について説明する。
【００２６】
ポンプゲート３０は吐出水路２０を開閉するものであり、ゲート駆動機構によって上下動自在に構成され、同図に実線で示す吐出水路２０の入口部分を閉止する位置と、同図に点線で示す吐出水路２０の入口部分を開く位置とに移動（上下動）する構成となっている。ポンプゲート３０にはこれと一体に上下動するポンプが取り付けられており、ポンプゲート３０によって吐出水路２０の入口部分を閉止した際にポンプ運転を行うことで吸込水路１０側の水を吐出水路２０側に強制排水する。なおポンプゲート３０には、ポンプゲート３０の内部にポンプを収納する構造のものや、ポンプゲート３０の吸込水路１０側にポンプを設置する構造のものや、ポンプゲート３０の吐出水路２０側にポンプを設置する構造のものや、ポンプゲート３０の上部の水中に没しない位置にポンプ本体を設置しポンプ吸込口だけを水中に没する構造のものや、特許文献１の図２に示すようにゲートと一体に上下動しない位置にポンプを設置したもの等、各種のものがある。またポンプゲート３０を構成するゲートの構造やそのゲート駆動機構にも種々の構造のものがある。本願発明には何れの構造のポンプゲート３０を用いても良い。
【００２７】
除塵機４０は図面では簡略化して記載しているが、上流から流れてきた浮遊物を捕捉するスクリーンと、スクリーンに捕捉した浮遊物を掻き上げて水路から除去する掻き揚げ機構とを具備して構成されている。スクリーンは一般に上下方向に向かう複数本の棒状体又は板状体を所定の隙間を介して並列に設置することで構成されており、各棒状体又は板状体の間の隙間に掻き揚げ機構のレーキを上流側に突出するように挿入し、このレーキを上方向に移動することで前記スクリーンに捕捉した浮遊物Ｓを掻き揚げる構造となっている。また除塵機４０は、実線で示す全閉位置Ｐ２（全閉といっても水は隙間を自由に流通する）から駆動機構によってその全体を矢印Ａ方向に旋回してその先端を上方に引き上げる構成となっている。除塵機４０の引き上げ位置は図１に点線で示すように、この実施形態では除塵機４０の先端が吐出水路上端レベルＬ３（吐出水路２０のポンプゲート３０が開閉する入口部分の内径の天井レベル）よりも上方に離れる位置としている。なおこの位置を全開位置Ｐ１とする（以下の各実施形態においても同様）。なお上述した除塵機４０は一例であり、もちろん他の各種構造の除塵機４０を用いても良い。例えば除塵機４０を旋回する代りに直線状に上下方向に移動する構造でも良い。またスクリーンの形状・構造や掻き揚げ機構の形状・構造も種々の変更が可能である。
【００２８】
浮遊物抑止装置５０は吸込水路１０の幅方向（図１の紙面手前奥方向）の全幅に亘って設けられる略矩形状の板によって構成されている。浮遊物抑止装置５０は吸込水路１０を構成する構造体の何れかの部分に固定されており、この例では構造体２１の部分に浮遊物抑止装置５０の上部に設けた取付部５０ｂをボルト等の取付手段によって着脱可能に取り付けている。この浮遊物抑止装置５０はその面に水が通過するための多数の開口部５７が設けられており、具体的には、例えば線材又は板材を格子状に組み込んで構成されるスクリーン、又は線材又は板材を所定の隙間を介して並列に設置して構成されるスクリーン、又はパンチングメタル等のパンチングボード（必ずしも金属でなくても良い）、又は金網等の網状体（必ずしも金属でなくても良い）等で構成されている。開口部５７の内径寸法は、ポンプゲート３０を閉塞しないで通過させることができる浮遊物の粒径、即ちポンプゲート３０の許容通過粒径以下としている。
【００２９】
そして浮遊物抑止装置５０は略吐出水路上端レベルＬ３からこの吸込水路１０のＨＷＬ（最高水位）までの水流に対向する面を具備している。即ち浮遊物抑止装置５０の下辺５０ａは吐出水路上端レベルＬ３付近に設置される。この実施形態では下辺５０ａは吐出水路上端レベルＬ３より少し低い位置に設置されているが、吐出水路上端レベルＬ３と同一の位置、又は場合によってはそれより少し高い位置に設置しても良い。要は浮遊物抑止装置５０の設置位置は、吐出水路上端レベルＬ３以上の水位の水流に対向する面を有し、吐出水路上端レベルＬ３以上の水位で流れてくる浮遊物Ｓ（特にポンプゲート３０を閉塞する恐れのある粒径のもの）を受けてポンプゲート３０側に流れることを抑止する設置位置であれば良い。なお以下の説明において特に定義がない限り、浮遊物Ｓとはポンプゲート３０を閉塞する恐れがある粒径以上の粒径（許容通過粒径以上の粒径）のものを言うものとする。
【００３０】
次にポンプゲート設備１−１の運転方法について説明する。まず水位が通常の自然流下水位Ｌ１のときはポンプゲート３０を点線で示す位置（全開位置）まで上昇して吐出水路２０を開き、同時に除塵機４０を点線で示す位置（全開位置Ｐ１）まで上昇（引き上げ）して水面から引き上げ、これによって水を自然流下させる。このとき水の自然流下とともに流れてきた浮遊物Ｓもそのまま自然流下する。
【００３１】
次に水位が上昇して吐出水路上端レベルＬ３を超えると、吐出水路上端レベルＬ３以上の水位の水流部分について浮遊物抑止装置５０が水中に没する。従って吐出水路上端レベルＬ３以上の水位で流れてくる浮遊物Ｓは、除塵機４０の上流において受け止められポンプゲート３０に向かうことが抑止される。なお吐出水路上端レベルＬ３以下のレベルで流れてくる浮遊物Ｓは浮遊物抑止装置５０に抑止されずにそのまま流れていくが、この浮遊物Ｓはそのまま吐出水路２０を通過していくので問題ない。
【００３２】
そしてさらに水位が上昇して吸込水路１０の水位が強制排水が必要なポンプ運転開始水位Ｌ２にまで上昇すると、除塵機４０を実線で示す全閉位置Ｐ２まで下降（引き下げ）してその下部を水中に没し、除塵機４０を駆動してこの除塵機４０の前面に捕捉される浮遊物Ｓ（浮遊物抑止装置５０によって抑止されている浮遊物Ｓ以外の浮遊物Ｓ）を掻き上げ、これによってポンプゲート３０側に浮遊物Ｓが流れていくのを防止する。また所定のタイミング（除塵機４０を下降した際にその下流側にある吐出水路上端レベルＬ３以下の水中を流れている浮遊物Ｓが全て吐出水路２０を通過したタイミング）でポンプゲート３０を実線で示す位置まで下降して吐出水路２０を閉じると共にポンプゲート３０に設置したポンプを駆動することで上流側（吸込水路１０側）の水を強制的に下流側（吐出水路２０側）に排水する。
【００３３】
本実施形態においては、上述のように吐出水路上端レベルＬ３以上の水位で流れてくる浮遊物Ｓは、除塵機４０の上流において受け止められポンプゲート３０に向かうことが抑止される。このためたとえ除塵機４０を下ろすタイミングが吐出水路上端レベルＬ３以上の水位の場合であっても、吐出水路２０の入口側の吐出水路上端レベルＬ３より高い水位の水面又は水中における浮遊物Ｓの滞留が防止できる。従ってポンプ運転に有害となる浮遊物Ｓがポンプゲート３０のポンプに吸い込まれることはなくなる。また除塵機４０を下げる際の水位は、吐出水路上端レベルＬ３より上に設定できるので、操作員の負担を軽減できる。
【００３４】
同時に浮遊物抑止装置５０は吐出水路上端レベルＬ３以上の水位の水流に対向する位置に設置されているので、ポンプゲート設備１−１の自然流下能力は阻害されない。また浮遊物抑止装置５０には開口部５７が設けられているので浮遊物抑止装置５０の面内を水が通過でき、開口部５７を有さない場合に比べて水の流れがよりスムーズになる。また水流による浮遊物抑止装置５０への受圧荷重が低減できるため、浮遊物抑止装置５０を簡易な構造で設計することが可能となり、低コスト化が図れる。
【００３５】
そしてポンプ排水が終わって（吐出水路２０側の水位が下がって）、ポンプゲート３０を上昇して吐出水路２０を開いて自然流下状態に戻し、また除塵機４０を上昇すれば、浮遊物抑止装置５０に止められていた浮遊物Ｓも水位が下がることでそのまま自然流下によって吐出水路２０を通過して流されていく。従って必要以上の浮遊物Ｓ（浮遊物抑止装置５０によって止められていた浮遊物Ｓ）を除塵機４０によって掻き揚げる必要がなく、ゴミ処理コストを低減できる。
【００３６】
なお水位が吐出水路上端レベルＬ３からポンプ運転開始水位Ｌ２に達しないで、除塵機４０を下降することなく（即ちポンプゲート３０を下降等することなく）自然流下状態に戻った場合も、浮遊物抑止装置５０に止められていた浮遊物Ｓはそのまま自然流下によって吐出水路２０を通過して流されるので、この場合も必要以上の浮遊物Ｓを除塵機４０によって掻き揚げることがなく、ゴミ処理コストを低減できる。
【００３７】
以上説明したようにポンプゲート設備１−１によれば、ポンプ運転開始水位Ｌ２が吐出水路上端レベルＬ３より高いポンプゲート設備１−１であっても、ポンプゲート３０への浮遊物Ｓの流入を効果的に防止でき、これによって経済性、信頼性、安全性に優れたポンプゲート設備１−１を提供することができる。なおこのポンプゲート設備１−１のように浮遊物抑止装置５０を着脱可能に構成すれば、例えば浮遊物抑止装置５０の下辺５０ａの位置を変更したいような場合に異なる浮遊物抑止装置５０に容易に付け替えることができる。また浮遊物抑止装置５０に設けた開口部５７に目詰まりなどが生じた際にこれを取り外して容易に清掃することができる。
【００３８】
図２は浮遊物抑止装置５０の他の例を示す要部正面図（浮遊物抑止装置５０を図１の左側又は右側から見た図）である。同図に示すように浮遊物抑止装置５０は、角落とし板５１の両端辺を吸込水路１０の左右両側壁に上下方向に向けて設けた戸溝５３に挿入し、戸溝５３の対向する所定位置（吐出水路上端レベルＬ３の近傍位置）に設けた受け台５５上に載置することで吸込水路１０内に設置される。このように構成すれば、浮遊物抑止装置５０の設置及び取り外しが簡易に行える。角落し板５１に開口部を設けても良い点は、上記の場合と同様である。
【００３９】
また図３は浮遊物抑止装置５０のさらに他の例を示す要部正面図である。この浮遊物抑止装置５０は、角落し板５１の上部に取り付けた角落し板５１の横幅寸法よりも長い横幅寸法の設置冶具５８の両端近傍の下面にレベル調整部材５９を設置して構成されており、角落し板５１の両端辺を吸込水路１０の左右両側壁の戸溝５３に挿入して設置するものである。このように構成すれば、上記図２で説明した効果に加えてレベル調整部材５９を取り換えるだけで浮遊物抑止装置５０のレベル（下辺５０ａの位置）を容易に設定可能になる。
【００４０】
図４は図１に示す浮遊物抑止装置５０のさらに他の例を示す概略断面図（図１と同一部分での断面図）である。同図に示す浮遊物抑止装置５０は吸込水路１０の幅方向（図４の紙面手前奥方向）の全幅に亘って設けられる略矩形状の板によって構成され、構造体２１に設けた開口２１ａ内に挿入され、その上部に設けた幅広の取付部５０ｂの部分を構造体２１の上面に係止することで設置される構造になっている。このように浮遊物抑止装置５０を構成しても、浮遊物抑止装置５０の設置及び取り外しが簡易に行なえる。
【００４１】
〔第２実施形態〕
図５（ａ），（ｂ）は本発明の第２実施形態にかかる自然流下水路と強制排水水路とを共用するポンプゲート設備１−２の全体概略構成図である。同図に示すポンプゲート設備１−２において、前記図１に示すポンプゲート設備１−１と同一又は相当部分には同一符号を付す。なお以下で説明する事項以外の事項については、前記図１に示すポンプゲート設備１−１と同じである。図５に示すポンプゲート設備１−２も前記ポンプゲート設備１−１と同様に、吐出水路２０を開閉するポンプゲート３０と、ポンプゲート３０の上流側に設置される除塵機４０とを具備し、ポンプゲート３０のポンプ運転開始水位Ｌ２が吐出水路上端レベルＬ３より高く、常時の自然流下水位Ｌ１の際にはポンプゲート３０を引き上げて吐出水路２０を開くと共に除塵機４０を引き上げて自然流下を行い、ポンプ運転開始水位Ｌ２の際には除塵機４０を引き下げて除塵機４０に捕捉される浮遊物Ｓのポンプゲート３０への流入を阻止すると共にポンプゲート３０によって吐出水路２０を閉じてポンプゲート３０に設置したポンプによって強制排水を行うように構成している。なお図５（ｂ）において図５（ａ）と相違する点は吐出水路２０の部分の構造のみである。即ち吐出水路２０の構造は図５（ａ）のものに限定されず、他の各種構造のものであってもよいことを示している。この点他の各実施形態においても同じである。
【００４２】
そしてこのポンプゲート設備１−２において前記ポンプゲート設備１−１と相違する点は、浮遊物抑止装置５０を設置する代わりに、除塵機４０の引き上げ時の位置（引き上げ位置）を、図５に太い点線で示す、除塵機４０先端が吐出水路上端レベルＬ３付近に位置する浮遊物抑止位置Ｐ３とした点である。このポンプゲート設備１−２においては、浮遊物抑止位置Ｐ３を、除塵機４０先端が吐出水路上端レベルＬ３より少し下になる位置（低い位置）としている。なお遊物抑止位置Ｐ３は、除塵機４０先端が吐出水路上端レベルＬ３と同一位置、又は場合によって少し上になる位置（高い位置）としても良い。要は浮遊物抑止位置Ｐ３は、吐出水路上端レベルＬ３以上の水位で流れてくる浮遊物Ｓを受けてポンプゲート３０側に流れることを抑止する位置であれば良い。
【００４３】
ポンプゲート３０は、上記ポンプゲート設備１−１のポンプゲート３０において説明した内容と同一である。
【００４４】
除塵機４０は、浮遊物抑止位置Ｐ３で停止すること以外の点については、上記ポンプゲート設備１−１の除塵機４０において説明した内容と同一である。なおこの除塵機４０はポンプゲート設備１−１の場合と同様に、全開位置Ｐ１においても停止する。浮遊物抑止位置Ｐ３は除塵機４０の全閉位置Ｐ２と全開位置Ｐ１の中間付近にある。
【００４５】
次にポンプゲート設備１−２の運転方法について説明する。水位が通常の自然流下水位Ｌ１のときはポンプゲート３０を点線で示す位置（全開位置）まで上昇して吐出水路２０を開き、同時に除塵機４０は浮遊物抑止位置Ｐ３まで上昇（引き上げ）して水面から引き上げ、これによって水を自然流下させる。このとき水の自然流下とともに流れてきた浮遊物Ｓもそのまま自然流下する。
【００４６】
次に水位が上昇して吐出水路上端レベルＬ３を超えると、吐出水路上端レベルＬ３以上の水位の水流部分について除塵機４０が水中に没する。従って吐出水路上端レベルＬ３以上の水位で流れてくる浮遊物Ｓは、除塵機４０によって受け止められポンプゲート３０に向かうことが抑止される。なお吐出水路上端レベルＬ３以下のレベルで流れてくる浮遊物Ｓは除塵機４０に抑止されずにそのまま流れていくが、この浮遊物Ｓはそのまま吐出水路２０へ通過していくので問題ない。
【００４７】
そしてさらに水位が上昇して吸込水路１０の水位が強制排水が必要なポンプ運転開始水位Ｌ２にまで上昇すると、除塵機４０を実線で示す位置（全閉位置Ｐ２）まで下降（引き下げ）してその下部を水路底面近傍に位置し、除塵機４０を駆動してこの除塵機４０の前面に捕捉した浮遊物Ｓ（それまでに除塵機４０前面に抑止されている浮遊物Ｓを含む全ての浮遊物Ｓ）を掻き上げ、これによってポンプゲート３０側に浮遊物Ｓが流れていくのを防止する。次に所定のタイミング（除塵機４０を全閉位置Ｐ２まで下降した際にその下流側にある吐出水路上端レベルＬ３以下の水中を流れている浮遊物Ｓが全て吐出水路２０へ通過したタイミング）でポンプゲート３０を実線で示す位置まで下降して吐出水路２０を閉じると共にポンプゲート３０に設置したポンプを駆動することで上流側（吸込水路１０側）の水を強制的に下流側（吐出水路２０側）に排水する。
【００４８】
このポンプゲート設備１−２においては、上述のように吐出水路上端レベルＬ３以上の水位で流れてくる浮遊物Ｓは、ポンプゲート３０の上流において受け止められポンプゲート３０に向かうことが抑止される。このためたとえ除塵機４０を全閉位置Ｐ２に下ろして運転するタイミングが吐出水路上端レベルＬ３以上であっても、除塵機４０の下流で吐出水路２０の入口側の吐出水路上端レベルＬ３より高い水位の水面又は水中における浮遊物Ｓの滞留が防止できる。従ってポンプ運転に有害となる浮遊物Ｓがポンプゲート３０のポンプに吸い込まれることはなくなる。また除塵機４０を下げる際の水位は、吐出水路上端レベルＬ３より上に設定できるので、操作員の負担を軽減できる。同時に除塵機４０の浮遊物抑止位置Ｐ３は吐出水路上端レベルＬ３以上の水位の水流に対向する位置なので、ポンプゲート設備１−２の自然流下能力は阻害されない。
【００４９】
そしてポンプ排水が終わって（吐出水路２０側の水位が下がって）、ポンプゲート３０を上昇して吐出水路２０を開いて自然流下状態に戻し、また除塵機４０を浮遊物抑止位置Ｐ３まで上昇すれば、通常の状態に戻る。
【００５０】
また水位が吐出水路上端レベルＬ３からポンプ運転開始水位Ｌ２に達しないで、除塵機４０を下降することなく（即ちポンプゲート３０を下降等することなく）自然流下状態に戻った場合も、除塵機４０に止められていた浮遊物Ｓはそのまま自然流下によって吐出水路２０を通過して流されるので、この場合も必要以上の浮遊物Ｓを除塵機４０によって掻き揚げることがなく、ゴミ処理コストを低減できる。
【００５１】
またこのポンプゲート設備１−２の場合、除塵機４０の上流側（又は下流側）への設備（上記ポンプゲート設備１−１の浮遊物抑止装置５０や、下記するポンプゲート設備１−４の浮遊物捕捉装置９０等）の設置が不要になるため、構成が簡素化され、コストの低減化が図れる。
【００５２】
以上説明したようにこのポンプゲート設備１−２によれば、ポンプ運転開始水位Ｌ２が吐出水路上端レベルＬ３より高いポンプゲート設備１−２であっても、ポンプゲート３０への浮遊物Ｓの流入を効果的に防止でき、これによって経済性、信頼性、安全性に優れたポンプゲート設備１−２を提供することができる。
【００５３】
〔第３実施形態〕
図６は本発明の第３実施形態にかかる自然流下水路と強制排水水路とを共用するポンプゲート設備１−３の全体概略構成図である。同図に示すポンプゲート設備１−３において、前記図１，図５に示すポンプゲート設備１−１，１−２と同一又は相当部分には同一符号を付す。なお以下で説明する事項以外の事項については、前記図１，図５に示すポンプゲート設備１−１，１−２と同じである。図６に示すポンプゲート設備１−３も前記ポンプゲート設備１−２と同様に、吐出水路２０を開閉するポンプゲート３０と、ポンプゲート３０の上流側に設置される除塵機４０とを具備し、ポンプゲート３０のポンプ運転開始水位Ｌ２が吐出水路上端レベルＬ３より高く、常時の自然流下水位Ｌ１の際にはポンプゲート３０を引き上げて吐出水路２０を開くと共に除塵機４０を引き上げて自然流下を行い、ポンプ運転開始水位Ｌ２の際には除塵機４０を引き下げて除塵機４０に捕捉される浮遊物Ｓのポンプゲート３０への流入を阻止すると共にポンプゲート３０によって吐出水路２０を閉じてポンプゲート３０に設置したポンプによって強制排水を行うように構成している。
【００５４】
またポンプゲート設備１−３は、前記図５に示すポンプゲート設備１−２と同様に、除塵機４０を、少なくとも全閉位置Ｐ２と全開位置Ｐ１と浮遊物抑止位置Ｐ３とで停止する構造に構成している。さらにポンプゲート設備１−３は、除塵機４０（さらにポンプゲート３０）を自動運転制御する制御手段７０と、除塵機４０の上下動位置を検出する位置検出機構７５と、吸込水路１０の水位を検出する吸込水路水位センサ（水位センサ）８０と、吐出水路２０の水位を検出する吐出水路水位センサ（水位センサ）８５とを具備している。
【００５５】
制御手段７０は吸込水路水位センサ８０と吐出水路水位センサ８５と位置検出機構７５からの入力信号等を用いて、除塵機４０の駆動機構（引き上げ引き下げ動作と掻き揚げ動作を含む）とポンプゲート３０の駆動機構（吐出水路２０の開閉動作とポンプ運転動作を含む）とを、図７に示す制御フローによってポンプゲート設備１−３が自動的に動作できるように運転制御するものである。
【００５６】
制御手段７０によるポンプゲート設備１−３の運転制御方法を予めまとめて簡単に説明すると、吐出水路２０の水位（又は吸込水路１０の水位）を検出し、その水路の水位が吐出水路上端レベルＬ３以下の任意の設定レベルＬ４（Ｌ３と同一レベルを含む）より高い水位の場合は浮遊物抑止位置Ｐ３に、その水路の水位が前記任意の設定レベルＬ４より低い水位の場合は前記浮遊物抑止位置Ｐ３よりさらに引き上げた全開位置Ｐ１になるように運転制御する。そして前記検出された水位がポンプゲート降下水位（ポンプ運転開始水位Ｌ２と設定レベルＬ４の間の任意の水位）よりも上昇した場合は除塵機４０を降下して全閉するとともにポンプゲート３０も降下して吐出水路２０を全閉とし、その後吸込水路１０の水位がポンプ運転開始水位Ｌ２を超えるとポンプゲート３０のポンプを運転して強制排水を行う。
【００５７】
上記制御を図７を用いて説明する。まず吐出水路水位センサ８５（又は吸込水路水位センサ８０）から吐出水路２０の水位（又は吸込水路１０の水位）を検出する（ステップ１）。次に前記検出された水位と任意の設定レベルＬ４（この例では吐出水路上端レベルＬ３と同一。即ちＬ３＝Ｌ４）とを比較し（ステップ２）、前記検出された水位が設定レベルＬ４以下であれば除塵機４０を浮遊物抑止位置Ｐ３よりさらに引き上げた全開位置Ｐ１になるようにし（ステップ３）、設定レベルＬ４以上になれば除塵機４０を浮遊物抑止位置Ｐ３に降下して設定する（ステップ４）。ここでこの例では設定レベルＬ４を吐出水路上端レベルＬ３と同一にしたが、設定レベルＬ４は吐出水路上端レベルＬ３以下（Ｌ３を含む）の所定のレベルであれば良い。次に前記検出された水位がポンプゲート降下水位（ポンプ運転開始水位Ｌ２と設定レベルＬ４の間の任意の水位）よりも上昇した場合は（ステップ５）、除塵機４０を降下して全閉・駆動し（ステップ６）、同時に（又はその前後所定時間内に）ポンプゲート３０も降下して吐出水路２０を全閉とする（ステップ７）。そして吸込水路水位センサ８０が検出した吸込水路１０の水位がポンプ運転開始水位Ｌ２を超えると（ステップ８）、ポンプゲート３０のポンプの運転を開始して強制排水を行う（ステップ９）。
【００５８】
つまりこのポンプゲート設備１−３の場合は吸込水路１０の水位だけではなく、吐出水路２０側の水位の状況も制御の判断材料とし、下流側の水位が所定の任意の設定レベルＬ４を超えて上昇した場合はポンプゲート３０の入口部分の上方に浮遊物Ｓが滞留する恐れがあるので除塵機４０を浮遊物抑止位置Ｐ３とし、下流側の水位が所定の任意の設定レベルＬ４以下の場合はポンプゲート３０の入口部分の上方に浮遊物Ｓが滞留する恐れがないので除塵機４０を全開位置Ｐ１とし、吸込水路１０の水位がポンプ運転開始水位Ｌ２を超えた場合は強制排水を行うようにしている。このポンプゲート設備１−３の場合もポンプゲート３０の入口部分の上方に浮遊物Ｓが滞留する恐れがある場合に除塵機４０を浮遊物抑止位置Ｐ３に設置するので、前記浮遊物Ｓの滞留が効果的に防止できる。
【００５９】
またこのポンプゲート設備１−３は自動制御なので、除塵機４０の操作を操作員が直接行う必要がなくなり、操作員の負担が省力化できると共に、操作員の誤操作・誤判断による操作ミスや操作遅れを防止でき、ポンプゲート３０の閉塞等による浸水被害をより確実に防止することができる。
【００６０】
なお上記ポンプゲート設備１−１，１−２においてもこの実施形態のように制御手段７０等を設けることで、同様に自動運転するように構成しても良い。
【００６１】
〔第４実施形態〕
図８は本発明の第４実施形態にかかる自然流下水路と強制排水水路とを共用するポンプゲート設備１−４の全体概略構成図である。同図に示すポンプゲート設備１−４において、前記図１に示すポンプゲート設備１−１と同一又は相当部分には同一符号を付す。なお以下で説明する事項以外の事項については、前記図１に示すポンプゲート設備１−１と同じである。図８に示すポンプゲート設備１−４もポンプゲート設備１−１と同様に、吐出水路２０を開閉するポンプゲート３０と、ポンプゲート３０の上流側に設置される除塵機４０とを具備し、ポンプゲート３０のポンプ運転開始水位Ｌ２が吐出水路上端レベルＬ３より高く、常時の自然流下水位Ｌ１の際にはポンプゲート３０を引き上げて吐出水路２０を開くと共に除塵機４０を引き上げて自然流下を行い、ポンプ運転開始水位Ｌ２の際には除塵機４０を引き下げて除塵機４０に捕捉される浮遊物Ｓのポンプゲート３０への流入を阻止すると共にポンプゲート３０によって吐出水路２０を閉じてポンプゲート３０に設置したポンプによって強制排水を行うように構成している。
【００６２】
そしてこのポンプゲート設備１−４において前記ポンプゲート設備１−１と相違する点は、浮遊物抑止装置５０を設置する代わりに、ポンプゲート３０の上流側（さらにこの実施形態では除塵機４０の下流側）に上流側から流れてくる浮遊物Ｓを捕捉する浮遊物捕捉装置９０を設置した点である。このポンプゲート設備１−４においてはさらに浮遊物捕捉装置９０の設置位置を、吐出水路上端レベルＬ３以上の水位で流れてくる浮遊物Ｓを捕捉する位置としている。なお浮遊物捕捉装置９０の設置位置は、場合によっては吐出水路上端レベルＬ３以上の水位ばかりでなく、吐出水路上端レベルＬ３以下の水位で流れてくる浮遊物Ｓをも捕捉する位置としてもよい。
【００６３】
ポンプゲート３０及び除塵機４０は、上記ポンプゲート設備１−１のポンプゲート３０及び除塵機４０において説明した内容と同一である。
【００６４】
浮遊物捕捉装置９０は、ネット等の変形可能で貫通する開口部（浮遊物Ｓの外径より小さい内径のもの）を有する部材であって且つ上流側に向けて浮遊物流入口９３を設けてなる捕捉部９１を具備して構成されている。浮遊物流入口９３の下端は、吐出水路上端レベルＬ３付近（同一又は少し上又は下のレベル）になっていて、前述のように吐出水路上端レベルＬ３以上の水位で流れてくる浮遊物Ｓを捕捉するようになっている。即ち捕捉部９１は、ネットの一端辺（水流に交叉する方向を向く後端辺）を吸込水路１０を構成する構造体（床部分）９９の下面側に取り付け、ネットの他端辺（水流に交叉する方向を向く前端辺）を吐出水路上端レベルＬ３付近であって前記一端辺よりも上流側に位置するようにロープ等の吊下げ具９４によって吊下げて構成されている。
【００６５】
吊下げ具９４を構成するロープ等は、これを下方向に向けてその長さを伸ばすことができるように長尺に構成され、これによって捕捉した浮遊物Ｓを吸込水路１０に排出する捕捉解除手段９５を兼用している。
【００６６】
次にポンプゲート設備１−４の運転方法について説明する。水位が通常の自然流下水位Ｌ１のときはポンプゲート３０を点線で示す位置（全開位置）まで上昇して吐出水路２０を開き、同時に除塵機４０を全開位置Ｐ１まで上昇（引き上げ）して水面から引き上げ、これによって水を自然流下させる。このとき水の自然流下とともに流れてきた浮遊物Ｓもそのまま自然流下する。またこのとき設置されている浮遊物捕捉装置９０の捕捉部９１は水面よりも上方に位置している。
【００６７】
次に水位が上昇して吐出水路上端レベルＬ３を超えると、捕捉部９１の下部が水中に没する。従って吐出水路上端レベルＬ３以上の水位で流れてくる浮遊物Ｓは、浮遊物捕捉装置９０の浮遊物流入口９３から捕捉部９１内に捕捉されポンプゲート３０に向かうことが抑止される。浮遊物捕捉装置９０の捕捉部９１は変形可能なネット等で構成されているので、浮遊物Ｓを容易に捕捉できる。なお吐出水路上端レベルＬ３以下のレベルで流れてくる浮遊物Ｓは浮遊物捕捉装置９０に抑止されずにそのまま流れていくが、この浮遊物Ｓはそのまま吐出水路２０を通過していくので問題ない。
【００６８】
そしてさらに水位が上昇して吸込水路１０の水位が強制排水が必要なポンプ運転開始水位Ｌ２にまで上昇すると、除塵機４０を実線で示す位置（全閉位置Ｐ２）まで下降（引き下げ）してその下部を底面近傍に位置し、除塵機４０を駆動してこの除塵機４０の前面に捕捉される浮遊物Ｓを掻き上げ、これによってポンプゲート３０側に浮遊物Ｓが流れていくのを防止する。また所定のタイミング（例えば除塵機４０を全閉位置Ｐ２まで下降した際にその下流側にある吐出水路上端レベルＬ３以下の水中を流れている浮遊物Ｓが全て吐出水路２０を通過したタイミング）でポンプゲート３０を実線で示す位置まで下降して吐出水路２０を閉じると共にポンプゲート３０に設置したポンプを駆動することで上流側（吸込水路１０側）の水を強制的に下流側（吐出水路２０側）に排水する。
【００６９】
このポンプゲート設備１−４においては、上述のようにポンプゲート３０の上流側に浮遊物捕捉装置９０を設置したので、吐出水路上端レベルＬ３以上の水位で流れてくる浮遊物Ｓは、ポンプゲート３０の上流において捕捉されポンプゲート３０に向かうことが抑止される。このためたとえ除塵機４０を全閉位置Ｐ２に下ろして運転するタイミングが遅れても、除塵機４０の下流で吐出水路２０の入口側の吐出水路上端レベルＬ３より高い水位の水面又は水中における浮遊物Ｓの滞留が防止できる。従って除塵機４０を通過していない浮遊物Ｓがポンプゲート３０のポンプに吸い込まれることはなくなる。同時に浮遊物捕捉装置９０による浮遊物捕捉位置は吐出水路上端レベルＬ３付近以上の水位の水流に対向する位置なので、ポンプゲート設備１−４の自然流下能力は阻害されない。
【００７０】
そしてポンプ排水が終わって（吐出水路２０側の水位が下がって）、ポンプゲート３０を上昇して吐出水路２０を開いて自然流下状態に戻し、また除塵機４０を水面から全開位置Ｐ１まで上昇すれば、通常の状態に戻る。このとき浮遊物捕捉装置９０の捕捉解除手段９５を兼用している吊下げ具９４のロープ等を図９に示すように下方向に向けて引き伸ばし、これによって捕捉部９１のネットの先端辺を下流側に移動して浮遊物流入口９３を下方向に向け、捕捉部９１に捕捉していた浮遊物Ｓを捕捉部９１から放出して水面（水路）に投入する。水路に投入された浮遊物Ｓは自然流下によってそのまま吐出水路２０を通過して自然流下していく。浮遊物捕捉装置９０によって捕捉した浮遊物Ｓは引き上げる必要がないので、ゴミ処理コスト（ゴミの処理や、操作員の負担等）を低減できる。
【００７１】
以上説明したようにこのポンプゲート設備１−４によれば、ポンプ運転開始水位Ｌ２が吐出水路上端レベルＬ３より高いポンプゲート設備１−４であっても、ポンプゲート３０への浮遊物Ｓの流入を効果的に防止でき、これによって経済性、信頼性、安全性に優れたポンプゲート設備１−４を提供することができる。
【００７２】
図１０（ａ），（ｂ）は他の浮遊物捕捉装置９０−２，９０−３（浮遊物Ｓを放出するとき）を示す概略図である。なおこれら浮遊物捕捉装置９０−２，９０−３において、前記浮遊物捕捉装置９０と同一又は相当部分には同一符号を付し、その詳細な説明は省略する。図１０（ａ）に示す浮遊物捕捉装置９０−２において前記浮遊物捕捉装置９０と相違する点は、吊下げ具９４を構成するロープ等を引き伸ばす構造からなる捕捉解除手段９５の代わりに、捕捉部９１を構成するネットの後端辺を構造体９９から引き離して下方に引き下げることができるようにこの後端辺にロープ等の捕捉解除手段９５を取り付けた点である。このように構成すれば、図１０（ａ）に示すように捕捉した浮遊物Ｓを水路に投入する際は、前記捕捉解除手段９５を構成するロープ等を伸ばして捕捉部９１の後端辺を開放し、これによって捕捉部９１に捕捉していた浮遊物Ｓを水路に放出する。
【００７３】
また図１０（ｂ）に示すように浮遊物捕捉装置９０の浮遊物流入口９３を構成する吊下げ具９４を硬質の金属部材等によって構成しておき、その一端部を構造体９９にヒンジ等の回動部材９８によって回動自在に取り付けておき、捕捉した浮遊物Ｓを水路に投入する際は、図１０（ｂ）に示すように前記吊下げ具９４を回動部材９８を支点に回動して浮遊物流入口９３を下向きにし、この浮遊物流入口９３から捕捉部９１に捕捉していた浮遊物Ｓを水路に投入する。
【００７４】
なお上記各浮遊物捕捉装置９０，９０−２，９０−３を用いて浮遊物Ｓを水路に放出する作業は、操作員の手動でよって行っても良いし、電動機等を使用して自動で行っても良い。
【００７５】
ところで浮遊物捕捉装置９０，９０−２，９０−３の構造は上記各具体例に限定されず、さらに種々の変形が可能である。要は浮遊物捕捉装置は、ネット等の変形可能で開口部を有する部材で構成され且つ上流側に向けて浮遊物流入口９３を設けてなる捕捉部９１を有し、さらに捕捉部９１に捕捉した浮遊物Ｓを水路に排出する捕捉解除手段９５を設ける構造であれば、どのような構造の浮遊物捕捉装置であっても良い。
【００７６】
〔第５実施形態〕
図１１は本発明の第５実施形態にかかる自然流下水路と強制排水水路とを共用するポンプゲート設備１−５の全体概略構成図である。同図に示すポンプゲート設備１−５において、前記図１に示すポンプゲート設備１−１と同一又は相当部分には同一符号を付す。なお以下で説明する事項以外の事項については、前記図１に示すポンプゲート設備１−１と同じである。図１１に示すポンプゲート設備１−５も前記ポンプゲート設備１−１と同様に、吐出水路２０を開閉するポンプゲート３０と、ポンプゲート３０の上流側に設置される除塵機４０とを具備し、ポンプゲート３０のポンプ運転開始水位Ｌ２が吐出水路上端レベルＬ３より高く、常時の自然流下水位の際にはポンプゲート３０を引き上げて吐出水路２０を開くと共に除塵機４０を引き上げて自然流下を行い、ポンプ運転開始水位Ｌ２の際には除塵機４０を引き下げて除塵機４０に捕捉される浮遊物Ｓのポンプゲート３０への流入を阻止すると共にポンプゲート３０によって吐出水路２０を閉じてポンプゲート３０に設置したポンプによって強制排水を行うように構成している。
【００７７】
ポンプゲート３０及び除塵機４０は、上記ポンプゲート設備１−１のポンプゲート３０及び除塵機４０において説明した内容と同一である。
【００７８】
そしてこのポンプゲート設備１−５において前記ポンプゲート設備１−１と相違する点は、浮遊物抑止装置５０を設置する代わりに、除塵機４０の運転を好適に制御することで、ポンプゲート３０への浮遊物Ｓの流入を効果的に防止している点にある。
【００７９】
即ちこのポンプゲート設備１−５においては、吐出水路上端レベルＬ３以下の水位に先行除塵機運転水位Ｌ５を設定し、水位がこの先行除塵機運転水位Ｌ５に達したときに除塵機４０を引き下げて浮遊物Ｓの下流への流下を阻止すると共に、除塵機４０の引き下げから任意の時間経過後にポンプゲート３０を降下させるように運転制御している。なおポンプゲート３０の引き下げは、除塵機４０の引き下げから任意の時間経過後であって且つ水位が先行除塵機運転水位Ｌ５より高い所定の水位に達したときに行っても良い。この運転制御は各水位Ｌ１，Ｌ２，Ｌ３，Ｌ５を検出する水位検出手段からの入力に基づいて除塵機４０とポンプゲート３０とを運転制御する運転制御装置を用いて行なう。
【００８０】
次にポンプゲート設備１−５の運転方法について説明する。図１２はポンプゲート設備１−５の基本制御フロー図である。なお同図の制御フローは、水位が自然流下水位Ｌ１から先行除塵機運転水位Ｌ５、吐出水路上端レベルＬ３を超えてポンプ運転開始水位Ｌ２にまで達する場合の制御フローを簡略化して示している。
【００８１】
図１２に示すように、水位が通常の水位、即ち先行除塵機運転水位Ｌ５以下のときはポンプゲート３０を図１１の点線で示す位置（全開位置）まで上昇して吐出水路２０を開き、同時に除塵機４０を全開位置Ｐ１まで上昇（引き上げ）して水面から引き上げ、これによって水を自然流下させる（ステップＳＴ１，ＳＴ２，ＳＴ３）。このとき水の自然流下とともに流れてきた浮遊物Ｓもそのまま自然流下する。
【００８２】
次に水位が上昇して先行除塵機運転水位Ｌ５を超えると、除塵機４０を下降させて全閉状態として駆動し（ステップＳＴ１，ＳＴ４）、その前面に捕捉される浮遊物Ｓの掻き揚げを開始する。従って除塵機４０が全閉となった後は除塵機４０の上流側の浮遊物Ｓはポンプゲート３０側のポンプ井には入り込まない。次に除塵機４０が全閉となった後、任意の設定時間Ｔ１だけ時間が経過するのを待つ（ステップＳＴ５）。この間はポンプゲート３０が上昇したままで吐出水路２０が開いているので、除塵機４０が降下したときに既に除塵機４０と吐出水路２０入口の間の水路に浮遊物Ｓがあった場合でも、水位が吐出水路上端レベルＬ３に達する前に、この浮遊物Ｓを確実に吐出水路２０に自然流下させることが可能となる。即ち先行除塵機運転水位Ｌ５は吐出水路上端レベルＬ３よりも低いので、下降した除塵機４０と吐出水路２０入口の間の水路にある浮遊物Ｓが吐出水路２０に自然流下する前にその水位が吐出水路上端レベルＬ３に達することはなく、従って吐出水路上端レベルＬ３を超えた後の水位の部分に浮遊物Ｓが滞留することはない。逆に言えば、吐出水路上端レベルＬ３を超える水位に浮遊物Ｓが滞留しないように先行除塵機運転水位Ｌ５と設定時間Ｔとを設定している。
【００８３】
そして前記任意の設定時間Ｔ１が経過した後、ポンプゲート３０を降下して吐出水路２０を閉じる（ステップＳＴ６）。そしてさらに吸込水路１０の水位が上昇してポンプ運転開始水位Ｌ２に達すると、ポンプゲート３０のポンプの運転を開始し、上流側（吸込水路１０側）の水を強制的に下流側（吐出水路２０側）に排水する。
【００８４】
なお図１２に示す制御フローにおいては、除塵機４０の引き下げから任意の設定時間Ｔ１経過後にポンプゲート３０を降下させたが、前述のように、除塵機４０の引き下げから任意の設定時間Ｔ１経過後であって且つ水位が先行除塵機運転水位Ｌ５より高い所定の水位に達したときにポンプゲート３０を降下させるように制御しても良い。
【００８５】
このポンプゲート設備１−５においては、水位が先行除塵機運転水位Ｌ５に達したときに除塵機４０を引き下げるので、水位が吐出水路上端レベルＬ３に達する前に除塵機４０から吐出水路２０の間にある浮遊物Ｓは全て吐出水路２０から自然流下される。従って浮遊物Ｓが除塵機４０の下流側のポンプ井上部に滞留することはなくなる。
【００８６】
そしてポンプ排水が終わって（吐出水路２０側の水位が下がって）、ポンプゲート３０を上昇して吐出水路２０を開いて自然流下状態に戻し、また除塵機４０を全開位置Ｐ１まで上昇すれば、通常の状態に戻る。
【００８７】
またこのポンプゲート設備１−５の場合、除塵機４０の上流側（又は下流側）への設備（上記ポンプゲート設備１−１の浮遊物抑止装置５０や、下記するポンプゲート設備１−４の浮遊物捕捉装置９０等）の設置が不要になるため、構成が簡素化され、コストの低減化が図れる。
【００８８】
以上説明したようにこのポンプゲート設備１−５によれば、ポンプ運転開始水位Ｌ２が吐出水路上端レベルＬ３より高いポンプゲート設備１−５であっても、ポンプゲート３０への浮遊物Ｓの流入を効果的に防止でき、これによって経済性、信頼性、安全性に優れたポンプゲート設備１−５を提供することができる。
【００８９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、吸込水路１０及び吐出水路２０を含む水路全体の構造に種々の変形が可能であることはいうまでもない。即ち例えば図１４に示すように、吐出水路２０に閉水路を設けずに吐出水路２０を直接開水路としても良い。同様にポンプゲート３０や除塵機４０の形状・構造にも種々の変形が可能である。また上記ポンプゲート設備１−１，１−２，１−４，１−５の運転制御は、手動によって行っても良いし、ポンプゲート設備１−３のように制御手段及び各種センサ等を用いて自動で行っても良い。
【００９０】
また上記各ポンプゲート設備はそれぞれ相互に重複適用が可能である。例えば図１に示す浮遊物抑止装置５０や図８に示す浮遊物捕捉装置９０を、図５，図６，図１１に示すポンプゲート設備１−２，１−３，１−５に設置しても良い。また浮遊物抑止装置５０と浮遊物捕捉装置９０とを同時に設置しても良い。また図５や図６に示すポンプゲート設備１−２，１−３の除塵機４０の動作と図１１に示すポンプゲート設備１−５の除塵機４０の動作とを併用しても良い。また例えば図１に示す浮遊物抑止装置５０の構造として、図８などに示す浮遊物捕捉装置９０の構造のものを用いても良い。
【図面の簡単な説明】
【００９１】
【図１】ポンプゲート設備１−１の全体概略構成図である。
【図２】浮遊物抑止装置５０の他の例を示す要部正面図である。
【図３】浮遊物抑止装置５０のさらに他の例を示す要部正面図である。
【図４】浮遊物抑止装置５０のさらに他の例を示す概略断面図である。
【図５（ａ）】ポンプゲート設備１−２の全体概略構成図である。
【図５（ｂ）】ポンプゲート設備１−２の全体概略構成図である。
【図６】ポンプゲート設備１−３の全体概略構成図である。
【図７】ポンプゲート設備１−３の運転制御フロー図である。
【図８】ポンプゲート設備１−４の全体概略構成図である。
【図９】浮遊物捕捉装置９０（浮遊物Ｓを放出するとき）を示す概略図である。
【図１０】浮遊物捕捉装置９０−２，９０−３（浮遊物Ｓを放出するとき）を示す概略図である。
【図１１】ポンプゲート設備１−５の全体概略構成図である。
【図１２】ポンプゲート設備１−５の基本制御フロー図である。
【図１３】ポンプゲート設備４００の一例を示す全体概略構成図である。
【図１４】他の水路構造の一例を示す図である。
【符号の説明】
【００９２】
１−１  ポンプゲート設備
１０  吸込水路
２０  吐出水路
３０  ポンプゲート
４０  除塵機
５０  浮遊物抑止装置
５７  開口部
Ｓ  浮遊物
Ｌ１  自然流下水位
Ｌ２  ポンプ運転開始水位
Ｌ３  吐出水路上端レベル
Ｐ１  全開位置
Ｐ２  全閉位置
１−２  ポンプゲート設備
Ｐ３  浮遊物抑止位置
１−３  ポンプゲート設備
７０  制御手段
７５  位置検出機構
８０  吸込水路水位センサ
８５  吐出水路水位センサ
Ｌ４  任意の設定レベル
１−４  ポンプゲート設備
９０  浮遊物捕捉装置
９１  捕捉部
９３  開口部
９５  捕捉解除手段
１−５  ポンプゲート設備
Ｌ５  先行除塵機運転水位
【図１】
2009293216.tif 000003
【図２】
2009293216.tif 000004
【図３】
2009293216.tif 000005
【図４】
2009293216.tif 000006
【図５（ａ）】
2009293216.tif 000007
【図５（ｂ）】
2009293216.tif 000008
【図６】
2009293216.tif 000009
【図７】
2009293216.tif 000010
【図８】
2009293216.tif 000011
【図９】
2009293216.tif 000012
【図１０】
2009293216.tif 000013
【図１１】
2009293216.tif 000014
【図１２】
2009293216.tif 000015
【図１３】
2009293216.tif 000016
【図１４】
2009293216.tif 000017